(57)【要約】【課題】走査電極を複数の走査電極群に分けて駆動しても、表示品質のよい画像を表示するプラズマディスプレイ装置を提供する。【解決手段】複数の走査電極を複数の走査電極群に分け、走査電極駆動回路４３ａ、４３ｂは、維持パルス発生回路５０ａ、５０ｂと、走査電極群のそれぞれに属する走査電極に印加する傾斜波形電圧を発生する複数の傾斜波形電圧発生回路５７ａ、５７ｂと、走査電極群のそれぞれに属する走査電極に印加する走査パルスを発生する複数の走査パルス発生回路６０ａ、６０ｂと、走査パルス発生回路６０ａ、６０ｂのそれぞれの基準電位を互いに接続または分離する接続分離手段６２ａ、６２ｂとを備え、走査電極に傾斜波形電圧を印加するときには接続分離手段６２ａ、６２ｂを分離にし、走査電極に維持パルスを印加するときには接続分離手段６２ａ、６２ｂを接続にする。【選択図】図６
2009145546.tif 000002
【特許請求の範囲】
【請求項１】
複数の走査電極を有するプラズマディスプレイパネルと、前記走査電極に印加する維持パルスと傾斜波形電圧と走査パルスとを発生する走査電極駆動回路と、を備えたプラズマディスプレイ装置であって、
複数の前記走査電極を複数の走査電極群に分け、
前記走査電極駆動回路は、前記走査電極に印加する前記維持パルスを発生する維持パルス発生回路と、前記走査電極群のそれぞれに属する走査電極に印加する前記傾斜波形電圧を発生する複数の傾斜波形電圧発生回路と、前記走査電極群のそれぞれに属する走査電極に印加する前記走査パルスを発生する複数の走査パルス発生回路と、前記走査パルス発生回路のそれぞれの基準電位を互いに接続または分離する接続分離手段とを備え、
前記走査電極に前記傾斜波形電圧を印加するときには前記接続分離手段を分離にし、前記走査電極に前記維持パルスを印加するときには前記接続分離手段を接続にすることを特徴とするプラズマディスプレイ装置。
【請求項２】
前記走査電極に前記走査パルスを印加するときには前記接続分離手段を接続にすることを特徴とする請求項１に記載のプラズマディスプレイ装置。
【発明の詳細な説明】
【技術分野】
【０００１】
本発明は、プラズマディスプレイパネルを用いたプラズマディスプレイ装置、特に大画面プラズマディスプレイ装置に関する。
【背景技術】
【０００２】
平面状に多数配列された画素を有する画像表示デバイスとして代表的なプラズマディスプレイパネル（以下、「パネル」と略記する）は、複数の走査電極、複数の維持電極および複数のデータ電極を有する放電セルが多数形成されており、各放電セル内部で発生させたガス放電により蛍光体を励起発光させてカラー表示を行っている。
【０００３】
このようなパネルを用いたプラズマディスプレイ装置で画像を表示する方法として主にサブフィールド法が用いられている。これは、あらかじめ輝度重みの定められた複数のサブフィールドで１フィールドを構成し、各サブフィールドで放電セルそれぞれの発光・非発光を制御して画像を表示する方法である。
【０００４】
プラズマディスプレイ装置は、走査電極を駆動するための走査電極駆動回路、維持電極を駆動するための維持電極駆動回路、データ電極を駆動するためのデータ電極駆動回路を備え、各電極の駆動回路はそれぞれの電極に必要な駆動電圧波形を印加する。近年は、パネルの大画面化、高精細度化が進み、これらの駆動回路の電力もますます増える傾向にある。このような電力の増加に対しては、一般に、許容電力の大きい回路素子を使用する、同一の仕様の回路素子を多数並列に接続して使用する等の方法により対応することができる。しかし、例えばミラー積分回路のように半導体素子を能動領域で使用する場合には、特性の完全に一致した半導体素子を使用しない限り半導体素子を並列接続して消費電力を分散させるという使い方ができない。そのため半導体素子の最大許容電力に依存して、駆動できる電極の数が制限されるという問題があった。
【０００５】
この問題を解決するために、電極を複数の電極群に分けて、１つの電極群に属する電極だけを駆動する駆動回路をそれぞれの電極群に対して設ける方法が考えられる。しかしながら複数の回路を用いて１つのパネルを駆動すると、駆動回路の出力インピーダンス等の特性の違いにより画像表示輝度に差が生じ画像表示品質が低下することが知られている。
【０００６】
上記画像表示品質の低下を防ぐ方法として、例えば特許文献１には、各走査電極群における放電セルの点灯率を算出し、それぞれの点灯率に応じて各走査電極群に印加する維持パルス数を補正する方法が開示されている。また特許文献２には、各走査電極群における放電セルの点灯率を算出し、それぞれの点灯率に応じて画像信号を補正する方法が開示されている。
【特許文献１】特開２００５−１２８１３３号公報
【特許文献２】特開２００５−２０８３６９号公報
【発明の開示】
【発明が解決しようとする課題】
【０００７】
しかしながら、上記の特許文献に記載されている補正方法は制御が複雑であり、また点灯率と輝度との相関が変化すると、逆に画像表示品質を低下させる恐れがあった。
【０００８】
本発明は、これらの課題に鑑みなされたものであり、走査電極を複数の走査電極群に分けて、１つの走査電極群に属する走査電極を駆動する駆動回路をそれぞれの走査電極群に対して設けても、表示品質のよい画像を表示することができるプラズマディスプレイ装置を提供することを目的とする。
【課題を解決するための手段】
【０００９】
上記目的を達成するために、本発明は、複数の走査電極を有するパネルと、走査電極に印加する維持パルスと傾斜波形電圧と走査パルスとを発生する走査電極駆動回路とを備えたプラズマディスプレイ装置であって、複数の走査電極を複数の走査電極群に分け、走査電極駆動回路は、走査電極に印加する維持パルスを発生する維持パルス発生回路と、走査電極群のそれぞれに属する走査電極に印加する傾斜波形電圧を発生する複数の傾斜波形電圧発生回路と、走査電極群のそれぞれに属する走査電極に印加する走査パルスを発生する複数の走査パルス発生回路と、走査パルス発生回路のそれぞれの基準電位を互いに接続または分離する接続分離手段とを備え、走査電極に傾斜波形電圧を印加するときには接続分離手段を分離にし、走査電極に維持パルスを印加するときには接続分離手段を接続にすることを特徴とする。この構成により、走査電極を複数の走査電極群に分けて、１つの走査電極群に属する走査電極を駆動する駆動回路をそれぞれの走査電極群に対して設けても、表示品質のよい画像を表示することができる。
【００１０】
また本発明のプラズマディスプレイ装置は、走査電極に走査パルスを印加するときには接続分離手段を接続にすることが望ましい。
【発明の効果】
【００１１】
本発明によれば、走査電極を複数の走査電極群に分けて、１つの走査電極群に属する走査電極を駆動する駆動回路をそれぞれの走査電極群に対して設けても、表示品質のよい画像を表示することが可能となる。
【発明を実施するための最良の形態】
【００１２】
以下、本発明の実施の形態におけるプラズマディスプレイ装置について、図面を用いて説明する。
【００１３】
（実施の形態）
図１は、本発明の実施の形態に用いるパネル１０の構造を示す分解斜視図である。ガラス製の前面基板２１上には、走査電極２２と維持電極２３とからなる表示電極対２４が複数形成され、表示電極対２４を覆うように誘電体層２５が形成され、その誘電体層２５上に保護層２６が形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００１４】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、例えばネオンとキセノンの混合ガスが放電ガスとして封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００１５】
なお、パネル１０の構造は上述したものに限られるわけではなく、例えばストライプ状の隔壁を備えたものであってもよい。
【００１６】
図２は、本発明の実施の形態に用いるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。それぞれの電極の数はパネルの仕様により様々であるが、本実施の形態においてはｎ＝２１６０として説明する。
【００１７】
ｎ本の走査電極ＳＣ１〜ＳＣｎは複数の走査電極群に分けられている。本実施の形態においては図２に示したように、パネルを上下に分けてパネルの上半分に位置する走査電極ＳＣ１〜ＳＣ１０８０を第１の走査電極群、パネルの下半分に位置する走査電極ＳＣ１０８１〜ＳＣ２１６０を第２の走査電極群としている。
【００１８】
図３は、本発明の実施の形態におけるプラズマディスプレイ装置の各電極に印加する駆動電圧波形図である。図３には、第１ＳＦと第２ＳＦとの２つのサブフィールドの駆動電圧波形を示しているが、他のサブフィールドにおける駆動電圧波形もほぼ同様である。
【００１９】
第１ＳＦの初期化期間の前半部では、データ電極Ｄ１〜Ｄｍ、維持電極ＳＵ１〜ＳＵｎにそれぞれ０（Ｖ）を印加し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。この傾斜波形電圧が上昇する間に、走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電が起こる。そして、走査電極ＳＣ１〜ＳＣｎ上に負の壁電圧が蓄積されるとともに、データ電極Ｄ１〜Ｄｍ上および維持電極ＳＵ１〜ＳＵｎ上には正の壁電圧が蓄積される。ここで、電極上の壁電圧とは電極を覆う誘電体層上、保護層上、蛍光体層上等に蓄積された壁電荷により生じる電圧を表す。
【００２０】
初期化期間の後半部では、維持電極ＳＵ１〜ＳＵｎに正の電圧Ｖｅ１を印加し、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電が起こる。そして、走査電極ＳＣ１〜ＳＣｎ上の負の壁電圧および維持電極ＳＵ１〜ＳＵｎ上の正の壁電圧が弱められ、データ電極Ｄ１〜Ｄｍ上の正の壁電圧は書込み動作に適した値に調整される。以上により、初期化動作が終了する。
【００２１】
なお、初期化期間の駆動電圧波形としては、図３の第２ＳＦの初期化期間に示したように、初期化期間の後半部に対応する電圧波形だけを印加してもよく、この場合には直前のサブフィールドの維持期間において維持放電を行った放電セルで選択的に初期化放電が発生する。
【００２２】
続く書込み期間では、維持電極ＳＵ１〜ＳＵｎに電圧Ｖｅ２を、走査電極ＳＣ１〜ＳＣｎに電圧Ｖｃを印加する。
【００２３】
次に、１行目の走査電極ＳＣ１に電圧Ｖａである負の走査パルスを印加するとともに、データ電極Ｄ１〜Ｄｍのうち１行目に発光させるべき放電セルのデータ電極Ｄｋ（ｋ＝１〜ｍ）に電圧Ｖｄである正の書込みパルスを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧の差とが加算されたものとなり放電開始電圧を超える。そして、データ電極Ｄｋと走査電極ＳＣ１との間および維持電極ＳＵ１と走査電極ＳＣ１との間に書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００２４】
このようにして、１行目に発光させるべき放電セルで書込み放電を起こして各電極上に壁電圧を蓄積する書込み動作が行われる。一方、書込みパルスＶｄを印加しなかったデータ電極Ｄ１〜Ｄｍと走査電極ＳＣ１との交差部の電圧は放電開始電圧を超えないので、書込み放電は発生しない。以上の書込み動作を走査電極ＳＣｎのｎ行目の放電セルに至るまで行い、書込み期間が終了する。
【００２５】
続く維持期間では、維持電極ＳＵ１〜ＳＵｎに０（Ｖ）を印加するとともに走査電極ＳＣ１〜ＳＣｎに維持パルス電圧Ｖｓを印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。そして、走査電極ＳＣｉと維持電極ＳＵｉとの間に維持放電が起こり、このとき発生した紫外線により蛍光体層３５が発光する。このとき走査電極ＳＣｉ上に負の壁電圧が蓄積され、維持電極ＳＵｉ上に正の壁電圧が蓄積される。さらにデータ電極Ｄｋ上にも正の壁電圧が蓄積される。
【００２６】
ただし、書込み期間において書込み放電が起きなかった放電セルでは維持放電は発生せず、初期化期間の終了時における壁電圧が保たれる。
【００２７】
続いて、走査電極ＳＣ１〜ＳＣｎには０（Ｖ）を、維持電極ＳＵ１〜ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。
【００２８】
以降同様に、走査電極ＳＣ１〜ＳＣｎと維持電極ＳＵ１〜ＳＵｎとに交互に輝度重みに応じた数の維持パルスを印加することにより、書込み期間において書込み放電を起こした放電セルで維持放電が継続して行われる。
【００２９】
そして、維持期間の最後には、消去波形を走査電極ＳＣ１〜ＳＣｎに印加して、データ電極Ｄｋ上の正の壁電圧を残したまま、走査電極ＳＣｉおよび維持電極ＳＵｉ上の壁電圧を消去している。こうして維持期間における維持動作が終了する。
【００３０】
続くサブフィールドの動作は第１ＳＦの動作とほぼ同様であるため説明を省略する。
【００３１】
次に、パネル１０を駆動するための駆動回路について説明する。図４は、本発明の実施の形態におけるプラズマディスプレイ装置４０の回路ブロック図である。プラズマディスプレイ装置４０は、パネル１０、画像信号処理回路４１、データ電極駆動回路４２、走査電極駆動回路４３ａ、４３ｂ、維持電極駆動回路４４、タイミング発生回路４５および各回路ブロックに必要な電源を供給する電源回路（図示せず）を備えている。
【００３２】
画像信号処理回路４１は、入力された画像信号をサブフィールド毎の発光・非発光を示す画像データに変換する。データ電極駆動回路４２はサブフィールド毎の画像データを各データ電極Ｄ１〜Ｄｍに対応する信号に変換し各データ電極Ｄ１〜Ｄｍを駆動する。タイミング発生回路４５は同期信号をもとにして各回路ブロックの動作を制御する各種のタイミング信号を発生し、それぞれの回路ブロックへ供給する。走査電極駆動回路４３ａ、４３ｂは、タイミング信号にもとづいて走査電極ＳＣ１〜ＳＣｎに印加する維持パルスと傾斜波形電圧と走査パルスとを発生する。本実施の形態においては走査電極駆動回路を走査電極駆動回路４３ａと走査電極駆動回路４３ｂとに分割している。そして走査電極駆動回路４３ａは、タイミング信号にもとづいて第１の走査電極群に属する走査電極ＳＣ１〜ＳＣ１０８０に印加する維持パルスと傾斜波形電圧と走査パルスとを発生し、走査電極駆動回路４３ｂはタイミング信号にもとづいて第２の走査電極群に属する走査電極ＳＣ１０８１〜ＳＣ２１６０に印加する維持パルスと傾斜波形電圧と走査パルスとを発生する。維持電極駆動回路４４は、タイミング信号にもとづいて維持電極ＳＵ１〜ＳＵｎを駆動する駆動波形電圧を発生する。
【００３３】
次に走査電極駆動回路４３ａ、走査電極駆動回路４３ｂの詳細について説明する。走査電極駆動回路４３ａと走査電極駆動回路４３ｂとはほぼ同様の回路構成であるので、まず走査電極駆動回路４３ａの詳細について説明する。
【００３４】
図５は、本発明の実施の形態におけるプラズマディスプレイ装置４０の走査電極駆動回路４３ａの回路図である。走査電極駆動回路４３ａは、第１の走査電極群に属する走査電極ＳＣ１〜ＳＣ１０８０に印加するための維持パルスを発生する維持パルス発生回路５０ａと、初期化波形等の傾斜波形電圧を発生する傾斜波形電圧発生回路５７ａと、走査パルスを発生する走査パルス発生回路６０ａとを備えている。さらに走査電極駆動回路４３ａは、走査電極駆動回路４３ａの走査パルス発生回路６０ａの基準電位と、後述する走査電極駆動回路４３ｂの走査パルス発生回路６０ｂの基準電位とを接続または分離する接続分離手段を構成する基準電位接続スイッチ６２ａとを備えている。
【００３５】
なお、詳細は後述するが、走査電極駆動回路４３ｂにも、走査電極駆動回路４３ａの走査パルス発生回路６０ａの基準電位と走査電極駆動回路４３ｂの走査パルス発生回路６０ｂの基準電位とを接続または分離する接続分離手段を構成する基準電位接続スイッチ６２ｂとを備えている。
【００３６】
維持パルス発生回路５０ａは、走査電極ＳＣ１〜ＳＣ１０８０を駆動するときの電力を回収して再利用するための電力回収部５１ａと、走査電極ＳＣ１〜ＳＣ１０８０を電圧Ｖｓにクランプするためのスイッチング素子Ｑ５２ａと、走査電極ＳＣ１〜ＳＣ１０８０を０（Ｖ）にクランプするためのスイッチング素子Ｑ５４ａとを有する。なおスイッチング素子Ｑ５３ａ、Ｑ５５ａは分離スイッチであり、スイッチング素子Ｑ５２ａ、Ｑ５４ａの逆並列ダイオードを介して電流が逆流するのを防止するために設けられている。
【００３７】
傾斜波形電圧発生回路５７ａは、ミラー積分回路５８ａと、ミラー積分回路５９ａとを備え、上述した初期化波形等の傾斜波形電圧を発生させる。ミラー積分回路５８ａは、トランジスタＱ５８ａとコンデンサＣ５８ａと抵抗Ｒ５８ａとを有し、電圧Ｖｉ２までランプ状に緩やかに上昇する傾斜波形電圧を発生する。ミラー積分回路５９ａは、トランジスタＱ５９ａとコンデンサＣ５９ａと抵抗Ｒ５９ａとを有し、電圧Ｖｉ４までランプ状に緩やかに下降する傾斜波形電圧を発生する。
【００３８】
なお、ミラー積分回路５８ａが傾斜波形電圧を発生するときは、トランジスタＱ５８ａは能動領域で使用することになる。従ってミラー積分回路５８ａが駆動できる走査電極の数は、トランジスタＱ５８ａの最大許容電力で制限されることになる。ミラー積分回路５９ａについても同様に、ミラー積分回路５９ａが駆動できる走査電極の数は、トランジスタＱ５９ａの最大許容電力で制限される。本実施の形態においては、トランジスタＱ５８ａ、トランジスタＱ５９ａとして最大許容電力の大きなトランジスタを用いているものの、すべての走査電極を駆動することはできない。
【００３９】
そこで複数の走査電極を複数の走査電極群に分けて駆動している。図６に記載のように本実施の形態においては、走査電極ＳＣ１〜ＳＣ２１６０を２つの走査電極群に分け、傾斜波形電圧発生回路５７ａが第１の走査電極群に属する走査電極ＳＣ１〜ＳＣ１０８０に印加する傾斜波形電圧を発生し、傾斜波形電圧発生回路５７ｂが第２の走査電極群に属する走査電極ＳＣ１０８１〜ＳＣ２１６０に印加する傾斜波形電圧を発生する構成としている。
【００４０】
走査パルス発生回路６０ａは、電圧（Ｖｃ−Ｖａ）である電源Ｅ６０ａと、走査パルス発生回路６０ａの基準電位である電源Ｅ６０ａの低電圧側の電位を電圧Ｖａにするためのスイッチング素子Ｑ６０ａと、電源Ｅ６０ａの低電圧側の電位または高電圧側の電位を走査電極ＳＣ１〜ＳＣ１０８０のそれぞれに印加するスイッチング素子ＳＷ１〜ＳＷ１０８０とを備えている。そして書込み期間において走査電極ＳＣ１〜ＳＣ１０８０のそれぞれに走査パルスを順次印加する。また初期化期間および維持期間では、維持パルス発生回路５０ａまたは傾斜波形電圧発生回路５７ａの出力電圧をそのまま出力する。電源Ｅ６０ａは、例えば専用のＤＣ−ＤＣコンバータを用いて構成してもよいが、コンデンサとダイオードを用いたブートストラップ回路を用いて構成してもよい。
【００４１】
基準電位接続スイッチ６２ａは、走査パルス発生回路６０ａの基準電位と、後述する走査パルス発生回路６０ｂの基準電位とを接続するためのスイッチング素子Ｑ６２ａを有する。このスイッチング素子Ｑ６２ａは、オン時のインピーダンスを低下させるために、複数のスイッチング素子を並列に接続した構成であってもよい。そして、このスイッチング素子Ｑ６２ａおよび後述する基準電位接続スイッチ６２ｂのスイッチング素子Ｑ６２ｂをオンすることにより接続分離手段を接続にすることができ、スイッチング素子Ｑ６２ａおよびスイッチング素子Ｑ６２ｂをオフすることにより接続分離手段を分離にすることができる。
【００４２】
図６は、本発明の実施の形態における走査電極駆動回路４３ａとそれらを実装した回路基板７３ａ〜７６ａ、および走査電極駆動回路４３ｂとそれらを実装した回路基板７３ｂ〜７６ｂとの関係を示す図である。
【００４３】
走査電極駆動回路４３ａは４枚の回路基板７３ａ〜７６ａに分けて搭載されており、回路基板７３ａには、維持パルス発生回路５０ａと、傾斜波形電圧発生回路５７ａと、走査パルス発生回路６０ａの電源Ｅ６０ａおよびスイッチング素子Ｑ６０ａとが実装されている。走査パルス発生回路６０ａのスイッチング素子ＳＷ１〜ＳＷ１０８０は３枚の回路基板７４ａ〜７６ａに分けて実装され、スイッチング素子ＳＷ１〜ＳＷ３６０は回路基板７４ａに、スイッチング素子ＳＷ３６１〜ＳＷ８４０は回路基板７５ａに、スイッチング素子ＳＷ８４１〜ＳＷ１０８０は回路基板７６ａにそれぞれ実装されている。そして回路基板７６ａには、さらに基準電位接続スイッチ６２ａのスイッチング素子Ｑ６２ａが実装されている。
【００４４】
走査電極駆動回路４３ｂも４枚の回路基板７３ｂ〜７６ｂに分けて搭載されており、回路基板７３ｂには、維持パルス発生回路５０ｂと、傾斜波形電圧発生回路５７ｂと、走査パルス発生回路６０ｂの電源Ｅ６０ｂおよびスイッチング素子Ｑ６０ｂとが実装されている。なお、走査パルス発生回路６０ｂの基準電位とは電源Ｅ６０ｂの低電圧側の電位をさす。走査パルス発生回路６０ｂのスイッチング素子ＳＷ１０８１〜ＳＷ２１６０は３枚の回路基板７４ｂ〜７６ｂに分けて実装され、スイッチング素子ＳＷ１０８１〜ＳＷ１３２０は回路基板７４ｂに、スイッチング素子ＳＷ１３２１〜ＳＷ１８００は回路基板７５ｂに、スイッチング素子ＳＷ１８０１〜ＳＷ２１６０は回路基板７６ｂにそれぞれ実装されている。そして回路基板７４ｂには、さらに基準電位接続スイッチ６２ｂのスイッチング素子Ｑ６２ｂが実装されている。
【００４５】
図７は、本発明の実施の形態におけるプラズマディスプレイ装置４０の駆動回路を搭載した回路基板の配置を示す図であり、プラズマディスプレイ装置４０のバックカバーを外した状態を裏面側から見た図である。なお、図７には、データ電極駆動回路４２を搭載した回路基板７１、走査電極駆動回路４３ａを搭載した回路基板７３ａ〜７６ａ、走査電極駆動回路４３ｂを搭載した回路基板７３ｂ〜７６ｂ、維持電極駆動回路４４を搭載した回路基板７８とその配置を模式的に示し、それ以外の回路基板は省略した。
【００４６】
本実施の形態においては、データ電極駆動回路４２は１６枚の回路基板７１に分けて搭載され、その出力はそれぞれＦＰＣ７２を介してデータ電極Ｄ１〜Ｄｍのそれぞれに印加される。維持電極駆動回路４４は６枚の回路基板７８に分けて搭載され、その出力はそれぞれＦＰＣ７９を介して維持電極ＳＵ１〜ＳＵ２１６０のそれぞれに印加される。走査電極駆動回路４３ａは４枚の回路基板７３ａ〜７６ａに分けて搭載され、走査電極駆動回路４３ｂは４枚の回路基板７３ｂ〜７６ｂに分けて搭載され、その出力はそれぞれＦＰＣ７７を介して走査電極ＳＣ１〜ＳＣ２１６０のそれぞれに印加される。
【００４７】
図８は、本発明の実施の形態におけるプラズマディスプレイ装置４０の回路基板７３ａ〜７６ａ、７３ｂ〜７６ｂの接続の様子を示す図である。コネクタ８１ａは回路基板７３ａと回路基板７４ａ〜７６ａとを接続するためのいわゆるカードエッジコネクタであり、本実施の形態においては、カードエッジコネクタ８１ａの一部の端子を用いて回路基板７３ａの基準電位と回路基板７４ａ〜７６ａの基準電位とを接続している。ここで回路基板の基準電位とは、回路基板に搭載された走査パルス発生回路の基準電位のことであり、以下も同様である。
【００４８】
コネクタ８２ａは回路基板７４ａの基準電位と回路基板７５ａの基準電位とを、コネクタ８３ａは回路基板７５ａの基準電位と回路基板７６ａの基準電位とをそれぞれ接続するコネクタであり、それぞれ、例えば２３本の端子を持つコネクタである。回路基板７４ａ〜７６ａは上述したように、走査パルス発生回路６０ａのスイッチング素子ＳＷ１〜ＳＷ１０８０が搭載され、それらの出力は走査電極ＳＣ１〜ＳＣ１０８０に接続されている。そのため回路基板７４ａ〜７６ａの基準電位のそれぞれに独立にリンギングが重畳する等、基準電位に差が発生すると、維持期間において走査電極に維持パルスを印加する際に、各回路基板から出力される維持パルスの形状に差が発生し、回路基板間で輝度の差として視覚的に認識され、画像表示品質が低下する恐れがある。
【００４９】
しかし本実施の形態においては、端子数の多いコネクタ８２ａ、８３ａを用いて基準電位を低いインピーダンスにて短絡しているため、回路基板７４ａ〜７６ａの基準電位が等しくなり、輝度の差が認識される恐れがない。
【００５０】
コネクタ８１ｂ、８２ｂ、８３ｂについても同様である。すなわち、コネクタ８１ｂは回路基板７３ｂと回路基板７４ｂ〜７６ｂとを接続するためのコネクタである。また、コネクタ８２ｂは回路基板７４ｂの基準電位と回路基板７５ｂの基準電位とを、コネクタ８３ｂは回路基板７５ｂの基準電位と回路基板７６ｂの基準電位とをそれぞれ接続する２３本の端子を持つコネクタである。そして回路基板７４ｂ〜７６ｂの基準電位を低いインピーダンスにて短絡しているため、輝度の差が認識される恐れがない。
【００５１】
コネクタ８５は、回路基板７６ａの基準電位接続スイッチ６２ａのスイッチング素子Ｑ６２ａと回路基板７４ｂの基準電位接続スイッチ６２ｂのスイッチング素子Ｑ６２ｂとを接続する２３本の端子を持つコネクタである。
【００５２】
上述したように、初期化期間においては、走査電極駆動回路４３ａではミラー積分回路５８ａまたはミラー積分回路５９ａを動作させて傾斜波形電圧を走査パルス発生回路６０ａの基準電位に重畳し、走査電極駆動回路４３ｂではミラー積分回路５８ｂまたはミラー積分回路５９ｂを動作させて傾斜波形電圧を走査パルス発生回路６０ｂの基準電位に重畳する。そしてミラー積分回路５８ａまたはミラー積分回路５９ａのトランジスタＱ５８ａまたはトランジスタＱ５９ａ、およびミラー積分回路５８ｂまたはミラー積分回路５９ｂのトランジスタＱ５８ｂまたはトランジスタＱ５９ｂは能動領域で動作するため、走査パルス発生回路６０ａの基準電位と走査パルス発生回路６０ｂの基準電位とを接続することはできない。
【００５３】
一方維持期間においては、回路基板間で輝度の差を発生させないために、走査パルス発生回路６０ａの基準電位と走査パルス発生回路６０ｂの基準電位とを接続させることが望ましい。
【００５４】
そのため本実施の形態においては、走査電極駆動回路４３ａと走査電極駆動回路４３ｂとのそれぞれに基準電位接続スイッチ６２ａ、６２ｂを設けて、それぞれのスイッチング素子Ｑ６２ａ、Ｑ６２ｂをコネクタ８５を介して接続し、スイッチング素子Ｑ６２ａ、Ｑ６２ｂをオン・オフ制御する構成としている。
【００５５】
図９は、本発明の実施の形態におけるプラズマディスプレイ装置４０の基準電位接続スイッチ６２ａのスイッチング素子Ｑ６２ａおよび基準電位接続スイッチ６２ｂのスイッチング素子Ｑ６２ｂの制御を示す図である。初期化期間においては走査電極ＳＣ１〜ＳＣｎに傾斜波形電圧を印加するので基準電位接続スイッチ６２ａ、６２ｂをオフにする。すなわちスイッチング素子Ｑ６２ａおよびスイッチング素子Ｑ６２ｂをオフにし、走査パルス発生回路６０ａの基準電位と走査パルス発生回路６０ｂの基準電位とを分離して、走査電極駆動回路４３ａの傾斜波形電圧発生回路５７ａと走査電極駆動回路４３ｂの傾斜波形電圧発生回路５７ｂとのミラー積分回路をそれぞれ独立に動作させている。
【００５６】
一方、維持期間において走査電極ＳＣ１〜ＳＣｎに維持パルスを印加するときは基準電位接続スイッチ６２ａ、６２ｂをオンにする。すなわちスイッチング素子Ｑ６２ａおよびスイッチング素子Ｑ６２ｂをオンにし、走査パルス発生回路６０ａの基準電位と走査パルス発生回路６０ｂの基準電位とを接続して、回路基板間の輝度の差を抑制している。ただし維持期間の最後の消去波形が傾斜波形電圧である場合には、基準電位接続スイッチ６２ａ、６２ｂをオフにする。
【００５７】
書込み期間において走査電極ＳＣ１〜ＳＣｎに走査パルスを印加するときは、ミラー積分回路５８ａ、５９ａ、５８ｂ、５９ｂが動作することなく、また書込み放電が表示画像に与える影響も少ないので、スイッチング素子Ｑ６２ａおよびスイッチング素子Ｑ６２ｂはオン、オフのどちらでもよいが、書込み放電を安定させるためにこれらのスイッチング素子はオンにすることが望ましい。
【００５８】
なお本実施の形態において、維持期間の最後に走査電極ＳＣ１〜ＳＣ１０８０に印加する消去波形を発生させる場合にはミラー積分回路５８ａを用いることができる。しかし消去波形を発生させるためのミラー積分回路を新たに設けた構成であってもよい。
【００５９】
また本実施の形態においては、走査パルス発生回路６０ａと走査パルス発生回路６０ｂとの基準電位を互いに接続または分離する接続分離手段を、基準電位接続スイッチ６２ａと基準電位接続スイッチ６２ｂとに分け、それぞれを回路基板７６ａと回路基板７４ｂとに実装したが、必ずしも接続分離手段を分ける必要はなく、例えば回路基板７６ａにスイッチング素子Ｑ６２ａとスイッチング素子Ｑ６２ｂとを実装してもよい。
【００６０】
また本実施の形態においては、走査電極駆動回路４３ａ、４３ｂを複数の回路基板に分けて実装するものとして説明したが、必ずしも複数に分けて実装する必要はなく、また走査電極駆動回路４３ａ、４３ｂを１枚の回路基板に実装してもよい。
【００６１】
また本実施の形態においては、走査電極ＳＣ１〜ＳＣ１０８０に印加する維持パルスを発生させる維持パルス発生回路５０ａと、走査電極ＳＣ１０８１〜ＳＣ２１６０に印加する維持パルスを発生させる維持パルス発生回路５０ｂとを独立に設けたが、１つの維持パルス発生回路を用いて走査電極ＳＣ１〜ＳＣ２１６０に印加する維持パルスを発生させる構成であってもよい。
【００６２】
また本実施の形態においては、パネルの上半分に位置する走査電極とパネルの下半分に位置する走査電極との２つの走査電極群に分けるものとして説明したが、走査電極に分け方はこれに限定されるものではなく、また３つ以上の走査電極群に分けてもよい。
【００６３】
なお、本実施の形態において用いた具体的な電圧値等の各数値は、単に一例を挙げたに過ぎず、パネルの特性やプラズマディスプレイ装置の仕様等に合わせて、適宜最適な値に設定することが望ましい。
【産業上の利用可能性】
【００６４】
本発明は、走査電極を複数の走査電極群に分けて、１つの走査電極群に属する走査電極を駆動する駆動回路をそれぞれの走査電極群に対して設けても、表示品質のよい画像を表示することができるので、大画面のプラズマディスプレイ装置として有用である。
【図面の簡単な説明】
【００６５】
【図１】本発明の実施の形態に用いるパネルの構造を示す分解斜視図
【図２】同パネルの電極配列図
【図３】本発明の実施の形態におけるプラズマディスプレイ装置の各電極に印加する駆動電圧波形図
【図４】同プラズマディスプレイ装置の回路ブロック図
【図５】同プラズマディスプレイ装置の走査電極駆動回路の回路図
【図６】同プラズマディスプレイ装置の走査電極駆動回路とそれらを実装した回路基板との関係を示す図
【図７】同プラズマディスプレイ装置の駆動回路を搭載した回路基板の配置を示す図
【図８】同プラズマディスプレイ装置の回路基板の接続の様子を示す図
【図９】同プラズマディスプレイ装置の基準電位接続スイッチのスイッチング素子の制御を示す図
【符号の説明】
【００６６】
１０    パネル
２２    走査電極
２３    維持電極
２４    表示電極対
３２    データ電極
４０    プラズマディスプレイ装置
４１    画像信号処理回路
４２    データ電極駆動回路
４３ａ，４３ｂ    走査電極駆動回路
４４    維持電極駆動回路
４５    タイミング発生回路
５０ａ，５０ｂ    維持パルス発生回路
５７ａ，５７ｂ    傾斜波形電圧発生回路
６０，６０ａ，６０ｂ    走査パルス発生回路
６２ａ，６２ｂ    基準電位接続スイッチ（接続分離手段）
７３ａ，７３ｂ，７４ａ，７４ｂ，７５ａ，７５ｂ，７６ａ，７６ｂ    回路基板
８１ａ，８１ｂ，８２ａ，８２ｂ，８３ａ，８３ｂ，８５    コネクタ
【図１】
2009145546.tif 000003
【図２】
2009145546.tif 000004
【図３】
2009145546.tif 000005
【図４】
2009145546.tif 000006
【図５】
2009145546.tif 000007
【図６】
2009145546.tif 000008
【図７】
2009145546.tif 000009
【図８】
2009145546.tif 000010
【図９】
2009145546.tif 000011